(57)【要約】【課題】  表示器の取付構造において、表示器の表示角度を設定する際の操作性を向上させ、長期間の使用によっても表示器を所定の表示角度に設定できるようにする。【解決手段】  表示器１５は表示器載置部６に回転軸２２を回転中心として起伏自在となるように回転自在に支持され、裏面に回転軸２２を回転中心として円弧状の被圧接部１８が設けられている。表示器載置部６の裏面に取り付けたブラケット２５には、可撓性を有する支持片２９を介して保持部２８が一体に設けられており、この保持部２８には圧接部材３３が取り付けられている。支持片２９が弾性変形した状態で、圧接部材３３が被圧接部１８に圧接され、圧接部材３３の圧接面３３ａは、回転軸２２を指向し被圧接部１８に面接触している。【選択図】  図７
2008102210.tif 000002
【特許請求の範囲】
【請求項１】
開口が設けられた表示器載置部が形成された装置筺体と、前記表示器載置部に起伏自在に支持され前記開口から裏面側に突出した被圧接部が設けられた表示器と、前記被圧接部に圧接され摩擦力によって表示器を起こした状態に保持する圧接部材と、前記表示器載置部の裏面に取り付けられ前記圧接部材を保持する保持部が設けられたブラケットとを備え、前記保持部が弾性変形した状態で前記圧接部材が前記被圧接部に圧接されていることを特徴とする表示器の取付構造。
【請求項２】
前記被圧接部を前記表示器の回動軸を中心とした円弧状に形成し、この被圧接部と前記圧接部材とを面接触させたことを特徴とする請求項１記載の表示器の取付構造。
【請求項３】
前記被圧接部と段部を介して連設され前記圧接部材によって圧接されない非圧接部を設け、前記表示器を前記表示器載置部に倒伏させることにより、前記圧接部材が前記非圧接部に対向することを特徴とする請求項２記載の表示器の取付構造。
【請求項４】
前記ブラケットに前記表示器の回動軸を軸支する軸受部を一体に設けたことを特徴とする請求項２記載の表示器の取付構造。
【請求項５】
前記保持部を前記ブラケットから一体に突設した可撓性を有する支持片によって支持し、この支持片が弾性変形することにより前記圧接部材の前記被圧接部を圧接する圧接面が常に同じ方向を指向するように支持片をＬ字状に形成したことを特徴とする請求項１ないし４のいずれか一項記載の表示器の取付構造。
【発明の詳細な説明】
【技術分野】
【０００１】
本発明は、電子機器等に設けられ表示角度を選択できる表示器の取付構造に関するもので  ある。
【背景技術】
【０００２】
従来の表示器の取付構造としては、開口が設けられた表示器載置部と、この表示器載置部に起伏自在に支持され開口から表示器の裏面側に突出する突出部が設けられた表示器と、表示器載置部の裏面側に取り付けられ突出部に対応して舌片が設けられたブラケットとを備え、舌片に嵌合固定されたゴム部材が突出部に圧接され、ゴム部材と突出部との間に発生する摩擦力によって表示器の表示角度を選択できるようにしたものがある（例えば、特許文献１，２参照）。
【特許文献１】特開２００５−７７５７３号公報（段落〔００１０〕〜〔００１４〕、図４ないし図８）
【特許文献２】特開２００５−２６８９４４号公報（段落〔００１４〕〜〔００１９〕、図３ないし図５および図９、図１０）
【発明の開示】
【発明が解決しようとする課題】
【０００３】
上述した従来の表示器の取付構造においては、突出部に互いに対向する一対の対向面が設けられ、これら対向面間にゴム部材が圧入され、各対向面とゴム部材との間に発生する摩擦力によって表示器を所定の表示角度に設定するようにしている。このため、互いの対向面方向に部品の製造誤差や部品間の組付け誤差が発生していると、一方の対向面側にゴム部材が強く圧接されるため、表示器を所定の表示角度に設定する際に操作性が悪いという問題があった。また、長期間の使用によってゴム部材が摩耗した場合、ゴム部材と対向面間に所定の摩擦力が得られなくなるため、表示器を所定の表示角度に設定できなくなるといった不具合もあった。
【０００４】
本発明は上記した従来の問題に鑑みなされたものであり、その目的とするところは、表示器の表示角度を設定する際の操作性を向上させ、長期間の使用によっても表示器を所定の表示角度に設定できるようにした表示器の取付構造を提供するところにある。
【課題を解決するための手段】
【０００５】
この目的を達成するために、請求項１に係る発明は、開口が設けられた表示器載置部が形成された装置筺体と、前記表示器載置部に起伏自在に支持され前記開口から裏面側に突出した被圧接部が設けられた表示器と、前記被圧接部に圧接され摩擦力によって表示器を起こした状態に保持する圧接部材と、前記表示器載置部の裏面に取り付けられ前記圧接部材を保持する保持部が設けられたブラケットとを備え、前記保持部が弾性変形した状態で前記圧接部材が前記被圧接部に圧接されている。
【０００６】
請求項２に係る発明は、請求項１に係る発明において、前記被圧接部を前記表示器の回動軸を中心とした円弧状に形成し、この被圧接部と前記圧接部材とを面接触させたものである。
【０００７】
請求項３に係る発明は、請求項２に係る発明において、前記被圧接部と段部を介して連設され前記圧接部材によって圧接されない非圧接部を設け、前記表示器を前記表示器載置部に倒伏させることにより、前記圧接部材が前記非圧接部に対向する。
【０００８】
請求項４に係る発明は、請求項２に係る発明において、前記ブラケットに前記表示器の回動軸を軸支する軸受部を一体に設けたものである。
【０００９】
請求項５に係る発明は、請求項１ないし４のいずれか一項に係る発明において、前記保持部を前記ブラケットから一体に突設した可撓性を有する支持片によって支持し、この支持片が弾性変形することにより前記圧接部材の前記被圧接部を圧接する圧接面が常に同じ方向を指向するように支持片をＬ字状に形成したものである。
【発明の効果】
【００１０】
請求項１に係る発明によれば、部品の製造誤差や部品間の組付け誤差が発生したとしても、保持部の弾性変形によってこれらの誤差が吸収されるため、圧接部材によって非圧接部材が常に同じ圧接力によって圧接されることにより、圧接部材と被圧接部との間の摩擦力が一定になる。このため、表示器を所定の表示角度に設定する際の操作性が向上する。また、長期間の使用によって圧接部材が摩耗しても、保持部材の弾発力によって圧接部材と被圧接部との間に所定の摩擦力が得られるため、表示器を所定の表示角度に設定できなくなるといった不具合も解消される。
【００１１】
請求項２に係る発明によれば、表示器の表示角度を変化させても、圧接部材と被圧接部との間の摩擦力が常に一定になるため、表示器の表示角度を設定する際の操作性が向上する。
【００１２】
請求項３に係る発明によれば、表示器が表示器載置部に倒伏された状態を操作者が認識できるため使い勝手が向上する。
【００１３】
請求項４に係る発明によれば、圧接部材を保持する保持部と表示器の回動軸を支持する軸受部とを同じブラケットに一体に設けたことにより、圧接部材と表示器に設けた被圧接部との位置関係が常に一定となる。このため、圧接部材と被圧接部との間の摩擦力が常に一定になるから、表示器の表示角度を設定する際の操作性が向上する。
【００１４】
請求項５に係る発明によれば、保持部を支持している支持片が弾性変形しても、被圧接部に対する圧接部材の圧接面が常に同じ方向を指向することにより、被圧接部と圧接面との接触面積が常に一定になるため、圧接部材と被圧接部との間の摩擦力が常に一定になるから、表示器の表示角度を設定する際の操作性が向上する。
【発明を実施するための最良の形態】
【００１５】
以下、本発明の実施の形態を図に基づいて説明する。図１は本発明に係る表示器の取付構造を適用した電話機の斜視図、図２は同じく表示器を取り外した状態の電話機の斜視図、図３は同じく電話機の平面図、図４は同じく表示器の底面側から見た斜視図、図５は同じくブラケットを示し、同図（Ａ）は斜視図、同図（Ｂ）は背面図、同図（Ｃ）は平面図、同図（Ｄ）は同図（Ｃ）におけるV（Ｄ）-V（Ｄ） 線断面図である。
【００１６】
図６は図３におけるVI-VI 線断面図、図７は表示器を所定の表示角度に設定した状態を示す図３におけるVI-VI 線断面図、図８は図３におけるVIII-VIII 線断面図、図９は表示器を所定の表示角度に設定した状態を示す図３におけるVIII-VIII 線断面図、図１０は表示器を上限の表示角度に設定した状態を示す図３におけるV-V 線断面図、図１１は同じく保持部を支持する支持片の弾性変形を説明するための模式図であって、同図（Ａ）は支持片が弾性変形していない状態を示し、同図（Ｂ）は支持片が弾性変形した状態を示す。
【００１７】
図２に全体を符号１で示す電話機は、共に浅底状に形成されたロアーケース２とアッパーケース３とによって構成されており、アッパーケース３の側部にはハンドセット（図示せず）を載置するハンドセット載置部４が設けられている。また、アッパーケース３の後部には、矩形状に形成された開口５が設けられた表示器載置部６が形成され、前部には複数のダイヤル釦７および機能釦８が設けられている。
【００１８】
表示器載置部６には、開口５を挟んで後述する表示器１５の回動軸２２が後述する軸受部２６から抜けるのを規制する一対の第１の軸抜け規制部１１と第２の軸抜け規制部１２とが一体に立設されている。第１の軸抜け規制部１１と第２の軸抜け規制部１２とは、図８に示すように互いに対向するように立設され、第２の軸抜け規制部１２の上部１２ａは湾曲形成されており、この上部１２ａと第１の軸抜け規制部１１の上端との間には隙間１３が設けられている。この隙間１３の幅Ｗは、後述する回動軸２２の短辺の長さＡよりも大きく、長辺の長さＢよりも小さく形成されている。また、表示器載置部６の第１および第２の軸抜け規制部１１，１２間には、後述するブラケット２５の軸受部２６，２６が挿通される挿通孔１４，１４が設けられている。
【００１９】
図４に全体を符号１５で示す表示器は、表示部１５ａを有し扁平な直方体状に形成されており、底部１６の中央部の一端側には、断面円弧状に形成された突出部１７が一体に突設されている。この突出部１７の中央部には断面円弧状に形成された被圧接部１８が膨出形成されており、この被圧接部１８の円弧方向の端部には、図６に示すように段部１９が設けられ、突出部１７には、この段部１９を介して被圧接部１８と連設された非圧接部１７ａが形成されている。
【００２０】
この非圧接部１７ａには、図６に示すように表示器１５を表示器載置部６上に倒伏させた状態において、圧接部材３３の圧接面３３ａが対向する。また、突出部１７の先端部には、ブラケット２５の後述するストッパ３２，３２に係合する係合部２０，２０が突設されており、この係合部２０がストッパ３２に係合することにより、表示器１５の最大の表示角度が設定される。
【００２１】
図４において、２１，２１は突出部１７を挟んで表示器１５の底部に凹設された凹部であって、この凹部２１，２１内には、図６に示すようにこの表示器１５の回動中心となる断面略長方形に形成された回動軸２２，２２が互いに対向する方向に突設されており、上記した被圧接部１８は、回動軸２２を中心とした円弧状に形成されている。回動軸２２の短辺の周面には、湾曲形成された湾曲面２２ａ，２２ａが設けられており、この湾曲面２２ａが後述する軸受部２６の軸対接面２６ａに対接されることにより、表示器１５が軸受部２６に回動自在に支持される。
【００２２】
図５に全体を符号２５で示すブラケットは、プラスチックによって細長い扁平な略直方体状に形成され、両端部には、上記した軸受部１０の一部を構成する一対の軸受部２６，２６が互いに対向するように一体に立設されており、これら軸受部２６，２６の上端面には、円弧状に凹設された軸対接面２６ａが設けられている。２７，２７はブラケット２５の両側に設けられた挿通孔であって、この挿通孔２７を挿通させたねじ（図示せず）によってブラケット２５が表示器載置部６の裏面に取り付けられる。
【００２３】
また、ブラケット２５の中央部には、可撓性を有する支持片２９を介して斜め上方に突設され平板状に形成された保持部２８が一体に設けられている。支持片２９は、図１１（Ａ）に示すように鉛直部２９ａと水平部２９ｂとによってＬ字状に形成されており、鉛直部２９ａと水平部２９ｂとのなす角度αは９０°に形成されている。
【００２４】
３０，３０はブラケット２５の保持部２８の両側に立設された支持壁であって、これら支持壁３０，３０の端部には、支持片３１，３１が互いに対向するように突設されており、これら支持片３１，３１にはストッパ３２，３２が突設されている。このストッパ３２には、表示器１５を最大の表示角度に設定することにより、図１０に示すように表示器１５の係合部２０が係合し、この係合により回動軸２２の隙間１３からの抜けが規制され、表示器１５の脱落を阻止するように構成されている。
【００２５】
３３は弾性変形可能な硬質のゴム状部材によって直方体状に形成された圧接部材であって、保持部２８に圧入される凹部（図示せず）が設けられており、圧入されることにより保持部２８に取り付けられる。保持部２８に取り付けられた圧接部材３３には、保持部２８と平行で平坦状に形成され被圧接部１８を圧接する圧接面３３ａが設けられている。
【００２６】
後述するように、ブラケット２５を表示器載置部６の裏面に取り付けると、保持部２８に取り付けられた圧接部材３３の圧接面３３ａが指向する方向、すなわち圧接面３３ａと直交する方向であるＬ１−Ｌ１線は、図６に示すように回動軸２２を指向する。また、支持片２９の鉛直部２９ａと水平部２９ｂとのなす角度αを２等分したＬ２−Ｌ２線が、Ｌ１−Ｌ１線と平行となるように指向している。
【００２７】
このような構成において、表示器１５の回動軸２２，２２を、図９に示すように表示器載置部６の第１の軸抜け規制部１１と第２の軸抜け規制部１２との間の隙間１３から両軸抜け規制部１１，１２間に挿入する。ブラケット２５の軸受部２６，２６を、表示器載置部６の裏面側から挿通孔１４，１４に挿通させ、ブラケット２５を表示器載置部６の裏面に取り付ける。
【００２８】
この状態で、回動軸２２の一方の湾曲面２２ａが軸受部２６の軸対接面２６ａに対接され、表示器１５が表示器載置部６に起伏自在となるように、回動軸２２を回動中心として軸受部２６に所定の回動角度の範囲において回動自在に支持される。また、このとき、図７に示すように、支持片２９が弾性変形した状態で、圧接部材３３の圧接面３３ａによって表示器１５の被圧接部１８が圧接され、圧接部材３３が弾性変形し被圧接部１８と圧接面３３ａとは面接触している。
【００２９】
このように、保持部２８を支持している支持片２９が弾性変形した状態で、圧接部材３３が被圧接部１８に圧接されていることにより、被圧接部１８や保持部２８の製造誤差やブラケット２５のアッパーケース３への組付け誤差が発生していたとしても、支持片２９の弾性変形によってこれらの誤差が吸収される。このため、圧接部材３３によって非圧接部１８が常に同じ圧接力によって圧接されることにより、圧接部材３３と被圧接部１８との間の摩擦力が一定になる。したがって、表示器１５の表示角度を設定する際の操作性が向上する。また、長期間の使用によって圧接部材３３が摩耗しても、支持片２９の弾発力によって圧接部材３３と被圧接部１８との間に所定の摩擦力が得られるため、表示器１５を所定の表示角度に設定できなくなるといった不具合が解消される。
【００３０】
また、上述したように、表示器１５を表示器載置部６上に倒伏させた図６に示す状態において、圧接部材３３の圧接面３３ａが表示器１５の非圧接部１７ａに対向する。このため、表示器１５を所定の表示角度から表示器載置部６に倒伏する際、圧接部材３３と被圧接部１８との間に発生していた摩擦力が解除されることにより、表示器１５が表示器載置部６に倒伏された状態を操作者が認識できるため使い勝手が向上する。
【００３１】
さらに、被圧接部１８を表示器１５の回動軸２２を中心とした円弧状に形成し、この被圧接部１８と圧接部材３３とを面接触させているため、表示器１５の表示角度を変化させても、圧接部材３３によって被圧接部１８が常に一定の圧接力によって圧接される。このため、圧接部材３３と被圧接部１８との間の摩擦力が常に一定になるため、表示器１５の表示角度を設定する際の操作性が向上する。
【００３２】
また、圧接部材３３を保持する保持部２８と表示器１５の回動軸２２を支持する軸受部２６とを同じブラケット２５に一体に設けたことにより、保持部２８に保持される圧接部材３３と表示器１５に設けた被圧接部１８との位置関係が常に一定となる。このため、圧接部材３３と被圧接部１８との間の摩擦力が常に一定になるから、表示器１５の表示角度を設定する際の操作性が向上する。
【００３３】
ここで、被圧接部１８が圧接面３３ａによって圧接されることにより、その反力として、図１１（Ａ）に示すように被圧接部１８から圧接部材３３の圧接面３３ａにＬ１−Ｌ１線に沿って荷重Ｔが加わり、保持部２８を支持している支持片２９にも荷重Ｔ′が加わる。上述したように、Ｌ２−Ｌ２線がＬ１−Ｌ１線と平行となるように指向していることにより、荷重Ｔ′はＬ２−Ｌ２線に沿って支持片２９に加わる。Ｌ２−Ｌ２線が支持片２９の鉛直部２９ａと水平部２９ｂとのなす角度αを２等分した方向を指向していることにより、荷重Ｔ′は鉛直部２９ａと水平部２９ｂとに均等に加わる。
【００３４】
したがって、同図（Ｂ）に示すように鉛直部２９ａとＬ２線とのなす角度と水平部２９ｂとＬ２線とのなす角度が共に同じ角度βになることにより、圧接面３３ａが常に同じ方向Ｌ１−Ｌ１線を指向する。すなわち図１１において水平面に対する圧接面３３ａの傾きγが一定となる。このため、支持片２９が弾性変形しても、被圧接部１８に対する圧接部材３３の接触面積が常に一定となることにより、圧接部材３３と被圧接部１８との間の摩擦力が常に一定になるから、表示器１５を表示角度に設定する際の操作性が向上する。
【図面の簡単な説明】
【００３５】
【図１】本発明に係る表示器の取付構造を適用した電話機の斜視図である。
【図２】本発明に係る表示器の取付構造を適用した電話機の表示器を取り外した状態の斜視図である。
【図３】本発明に係る表示器の取付構造を適用した電話機の平面図である。
【図４】本発明に係る表示器の底面側から見た斜視図である。
【図５】本発明に係る表示器の取付構造におけるブラケットを示し、同図（Ａ）は斜視図、同図（Ｂ）は背面図、同図（Ｃ）は平面図、同図（Ｄ）は同図（Ｃ）におけるV（Ｄ）-V（Ｄ）線断面図である。
【図６】図３におけるVI-VI 線断面図である。
【図７】本発明に係る表示器の取付構造において、表示器を所定の表示角度に設定した状態を示す図３におけるVI-VI 線断面図である。
【図８】図３におけるVIII-VIII 線断面図である。
【図９】本発明に係る表示器の取付構造において、表示器を所定の表示角度に設定した状態を示す図３におけるVIII-VIII 線断面図である。
【図１０】本発明に係る表示器の取付構造において、表示器を上限の表示角度に設定した状態を示す図３におけるV-V 線断面図である。
【図１１】本発明に係る表示器の取付構造において、保持部を支持する支持片の弾性変形を説明するための模式図であって、同図（Ａ）は支持片が弾性変形していない状態を示し、同図（Ｂ）は支持片が弾性変形した状態を示す。
【符号の説明】
【００３６】
１…電話機、３…アッパーケース、５…開口、６…表示器載置部、１０…軸受部、１５…表示器、１７ａ…非圧接部、１８…被圧接部、２２…回動軸、２５…ブラケット、２６…軸受部、２６ａ…軸対接面、２８…保持部、２９…支持片、３３…圧接部材、３３ａ…圧接面。
【図１】
2008102210.tif 000003
【図２】
2008102210.tif 000004
【図３】
2008102210.tif 000005
【図４】
2008102210.tif 000006
【図５】
2008102210.tif 000007
【図６】
2008102210.tif 000008
【図７】
2008102210.tif 000009
【図８】
2008102210.tif 000010
【図９】
2008102210.tif 000011
【図１０】
2008102210.tif 000012
【図１１】
2008102210.tif 000013